(57)【要約】【課題】紙袋本体に対して物の出し入れをスムーズにすること。【解決手段】底面が閉塞され、上面を開口した紙袋本体２と、紙袋本体２の上部の両側に設けた略Ｕ字状の手提げ部３と、紙袋本体２の上部を外側に折り曲げて形成した折曲片４とで手提げ紙袋１を構成する。紙袋本体２の上部の折曲片４は全周にわたって外側に折り曲げているので、紙袋本体２に物を出し入れする場合には、紙袋本体２の内面には従来の折曲片が存在せず、物の出し入れをスムーズに行なうことができる。【選択図】図１
2015044594.tif 000002
【特許請求の範囲】
【請求項１】
底面が閉塞され、上面が開口した略箱状で紙材などからなる紙袋本体（２）と、
前記紙袋本体（２）の上部から外側に略全周にわたって折り曲げた折曲片（４）と、
前記紙袋本体（２）の両側の上部にそれぞれ設けられ、前記紙袋本体（２）の外面と前記折曲片（４）の内面との間に下部が固着されている略Ｕ字状の手提げ部（３）とで構成されていることを特徴とする手提げ紙袋。
【請求項２】
前記折曲片（４）の折り曲げ部分にはミシン目（５）を形成していることを特徴とする請求項１に記載の手提げ紙袋。
【請求項３】
前記紙袋本体（２）の原紙である紙袋原紙（７）の表裏は色彩を異ならせていることを特徴とする請求項１または請求項２に記載の手提げ紙袋。
【請求項４】
前記折曲片（４）の下縁は非直線としたデザインを施していることを特徴とする請求項３に記載の手提げ紙袋。
【請求項５】
前記紙袋本体（２）を展開した場合の前記折曲片（４）に対応した紙袋原紙（７）の端部に、ロゴマークや模様を予め打ち抜き加工していることを特徴とする請求項３に記載の手提げ紙袋。
【請求項６】
前記紙袋本体（２）の内面は、該紙袋本体（２）の原紙の表裏の面のうち高級感を与える方の面としていることを特徴とする請求項１〜請求項５のいずれかに手提げ紙袋。
【発明の詳細な説明】
【技術分野】
【０００１】
本発明は、手提げ紙袋に関するものである。
【背景技術】
【０００２】
図１２は従来より提供されている手提げ紙袋５１の斜視図を示し、また、図１３は手提げ紙袋５１の正面図を示している。この手提げ紙袋５１は、周知のように底面が閉塞され、上面を開口した紙材からなる略箱状の紙袋本体５２と、この紙袋本体５２の上部の両側にそれぞれ設けられ紙材あるいは布地からなる紐状で略Ｕ字状の手提げ部５３とで構成されている。
【０００３】
手提げ紙袋５１の紙袋本体５２内に比較的重い商品などの物を入れても、紐状の手提げ部５３が紙袋本体５２から抜けないように紙袋本体５２の上部の周囲を内側に折り曲げ、この折り曲げた折曲片５４に上記手提げ部５３の端部を固着している。
【０００４】
図１４は紙袋本体５２の上部の部分の断面図を示しており、紙袋本体５２の上部の内面と、折曲片５４の内面とを全周にわたって接着剤にて接着し、折曲片５４が紙袋本体５２の収納空間側に出るのを防いでいる。
しかしながら、折曲片５４の内面の全面にわたって接着しているのではなく、図１４に示す上下方向の寸法Ｌだけ接着されているに過ぎない。そのため、折曲片５４の下部は、紙袋本体５２の内面とは接着されていない状態をなっている。
【発明の概要】
【発明が解決しようとする課題】
【０００５】
かかる従来の手提げ紙袋５１では、紙袋本体５２に上から物を入れる場合には、折曲片５４の下部が下方に向いているので、物をスムーズに紙袋本体５２内に入れることができる。
しかしながら、図１５に示すように、紙袋本体５２内に入れている物６０を紙袋本体５２内から取り出す場合、物６０の縁部が折曲片５４の下部に接触して、該折曲片５４の下部に物６０の縁部が引っ掛かり、物６０を紙袋本体５２内からスムーズに取り出しにくいという問題があった。
【０００６】
本発明は上述の問題点に鑑みて提供したものであって、少なくとも以下の目的を持った手提げ紙袋を提供するものである。
（１）紙袋本体に対して物の出し入れをスムーズにすること。
（２）高級感を付与すること。
（３）折曲片を外側に折り曲げることで、手提げ紙袋の表面に異なる色彩、模様を付与し、意匠的効果を付与すること。
【課題を解決するための手段】
【０００７】
そこで、本発明の請求項１に記載の手提げ紙袋では、底面が閉塞され、上面が開口した略箱状で紙材などからなる紙袋本体２と、
前記紙袋本体２の上部から外側に略全周にわたって折り曲げた折曲片４と、
前記紙袋本体２の両側の上部にそれぞれ設けられ、前記紙袋本体２の外面と前記折曲片４の内面との間に下部が固着されている略Ｕ字状の手提げ部３とで構成されていることを特徴としている。
【０００８】
請求項２に記載の手提げ紙袋では、前記折曲片４の折り曲げ部分にはミシン目５を形成していることを特徴としている。
【０００９】
請求項３に記載の手提げ紙袋では、前記紙袋本体２の原紙である紙袋原紙７の表裏は色彩を異ならせていることを特徴としている。
【００１０】
請求項４に記載の手提げ紙袋では、前記折曲片４の下縁は非直線としたデザインを施していることを特徴としている。
【００１１】
請求項５に記載の手提げ紙袋では、前記紙袋本体２を展開した場合の前記折曲片４に対応した紙袋原紙７の端部に、ロゴマークや模様を予め打ち抜き加工していることを特徴としている。
【００１２】
請求項６に記載の手提げ紙袋では、前記紙袋本体２の内面は、該紙袋本体２の原紙の表裏の面のうち高級感を与える方の面としていることを特徴としている。
【発明の効果】
【００１３】
本発明の請求項１に記載の手提げ紙袋によれば、底面が閉塞され、上面が開口した略箱状で紙材などからなる紙袋本体２と、前記紙袋本体２の上部から外側に略全周にわたって折り曲げた折曲片４と、前記紙袋本体２の両側の上部にそれぞれ設けられ、前記紙袋本体２の外面と前記折曲片４の内面との間に下部が固着されている略Ｕ字状の手提げ部３とで構成しているので、折曲片４を紙袋本体２の外側に折り曲げているので、紙袋本体２内に物を出し入れしても、商品が折曲片４に引っかかることはなく、物の出し入れをスムーズに行なうことができる。
【００１４】
請求項２に記載の手提げ紙袋によれば、前記折曲片４の折り曲げ部分にはミシン目５を形成していることで、紙袋原紙７を折り畳んで、折曲片４を折り曲げる際に、折曲片４を折り曲げ易くすることができ、折曲片４を確実に形成することができる。また、ミシン目５に沿って折曲片４を折り曲げることで、紙袋本体２の上縁を傾斜させることなく、水平に形成することができる。
【００１５】
請求項３に記載の手提げ紙袋によれば、前記紙袋本体２の原紙である紙袋原紙７の表裏は色彩を異ならせているので、紙袋原紙７を折り畳んで紙袋本体２を形成した場合には、折曲片４の外面の色彩と、紙袋本体２の外面の色彩とが異なり、意匠的効果を上げることができる。
【００１６】
請求項４に記載の手提げ紙袋によれば、前記折曲片４の下縁は非直線としたデザインを施しているので、折曲片４の下部の縁部が例えば、波形となり、かつ紙袋本体２の外面と折曲片４の外面とが色彩が異なることで、意匠的効果を一層向上させることができる。
【００１７】
請求項５に記載の手提げ紙袋によれば、前記紙袋本体２を展開した場合の前記折曲片４に対応した紙袋原紙７の端部に、ロゴマークや模様を予め打ち抜き加工しているので、表裏の色彩が異なる紙袋原紙７を折り畳んで紙袋本体２を形成すると、打ち抜き加工した箇所には、折曲片４の色彩とは異なる色彩であって、紙袋本体２の外面の色彩と同じ色彩のロゴマークや模様が表示されることになる。
これにより、ロゴマークや模様を表示するのに、別途の色彩を用いることなく、折曲片４に紙袋本体２の外面と同じ色彩のロゴマークや模様を鮮やかに表示させることができる。
【００１８】
請求項６に記載の手提げ紙袋によれば、前記紙袋本体２の内面は、該紙袋本体２の原紙の表裏の面のうち高級感を与える方の面としているので、折曲片４及び紙袋本体２の内面に高級感を与えることができ、手提げ紙袋１を持つ人に満足感を与えることにもなる。
【図面の簡単な説明】
【００１９】
【図１】本発明の実施の形態における手提げ紙袋の斜視図である。
【図２】本発明の実施の形態における手提げ紙袋の正面図である。
【図３】本発明の実施の形態における手提げ紙袋の上部の要部断面図である。
【図４】本発明の実施の形態における紙袋本体を展開した場合の紙袋原紙の概略平面図である。
【図５】本発明の実施の形態における紙袋原紙の表面の概略平面図である。
【図６】本発明の実施の形態における紙袋原紙の裏面の概略平面図である。
【図７】本発明の実施の形態における表裏の色彩が異なる紙袋原紙で紙袋本体を形成した場合の手提げ紙袋の正面図である。
【図８】本発明の実施の形態における折曲片の下部にデザインを施すようにした場合の紙袋原紙の概略平面図である。
【図９】本発明の実施の形態における折曲片の下部にデザインを施した場合の手提げ紙袋の正面図である。
【図１０】本発明の実施の形態における折曲片にロゴマークを形成する場合の紙袋原紙の概略平面図である。
【図１１】本発明の実施の形態における折曲片にロゴマークを施した場合の手提げ紙袋の正面図である。
【図１２】従来例の手提げ紙袋の斜視図である。
【図１３】従来例の手提げ紙袋の正面図である。
【図１４】従来例の手提げ紙袋の要部断面図である。
【図１５】従来例の問題点を説明するための説明図である。
【発明を実施するための形態】
【００２０】
以下、本発明の実施の形態を図面を参照して詳細に説明する。図１は本発明の手提げ紙袋１の斜視図を示し、図２は手提げ紙袋１の正面図を示している。手提げ紙袋１の構成自体は従来例と同様であり、底面が閉塞され上面が開口した箱状で紙材からなる紙袋本体２と、この紙袋本体２の両側の上部にそれぞれ設けられ、偏平な紙材あるいは布地からなる紐状の手提げ部３と構成されている。
【００２１】
本発明では、紙袋本体２の上部を外側に折り曲げて折曲片４を形成している。図３は紙袋本体２の上部の要部断面図を示している。
折曲片４を外側に折り曲げて、紙袋本体２の上部の外面と、折曲片４の内面とを接着剤等にて接着し、折曲片４が不用意に外側に向くのを防止している。手提げ部３の端部は、紙袋本体２の上部の外面と、折曲片４の内面との間に挿入され、接着剤等にて紙袋本体２に固着されている。ここで、紙袋本体２の大きさにもよるが折曲片４の上下方向の寸法は、３〜６ｃｍ程度している。
【００２２】
このように本実施形態では、折曲片４を紙袋本体２の外側に折り曲げているので、紙袋本体２内に物を出し入れしても、商品が折曲片４に引っかかることはなく、物の出し入れをスムーズに行なうことができる。
また、紙袋本体２の外面と折曲片４の内面との間に手提げ部３の下部を挟んで接着剤等で固着しているので、紙袋本体２内に比較的重い物を入れても、折曲片４の部分が破れたり、手提げ部３が抜け落ちることもなく、強度を付与することができる。
【００２３】
ところで、図４は手提げ紙袋１の紙袋本体２を展開した紙袋原紙７の平面図を示している。なお、細かい部分は省略しているものであり、紙袋本体２の概略展開図である。紙袋本体２は、もともと１枚の紙である紙袋原紙７を折り畳んで上面を開口した箱状に形成しているものである。
折曲片４は図３に示すように紙袋原紙７の上部より外側に折り曲げて形成するようにしている。そこで、図４に示すように、紙袋原紙７の上部に折曲片４を形成すべく折り曲げる箇所にミシン目５を形成している。
【００２４】
紙袋本体２を折り畳む前の紙袋原紙７に予めミシン目５を形成しておくことで、紙袋原紙７を折り畳んで、折曲片４を折り曲げる際に、折曲片４を折り曲げ易くすることができ、折曲片４を確実に形成することができる。また、ミシン目５に沿って折曲片４を折り曲げることで、紙袋本体２の上縁を傾斜させることなく、水平に形成することができる。
【００２５】
図５は紙袋本体２を展開した状態の紙袋原紙７の表面を示し、例えば紙袋原紙７の表面の色彩を赤色とし、図６に示す紙袋原紙７の裏面の色彩を例えば、青色としている。なお、図５及び図６では、ミシン目５を形成していないが、もちろんミシン目５を形成するようにしても良い。
【００２６】
上記のように紙袋原紙７の表面の色彩を赤色とし、紙袋原紙７の裏面の色彩を青色として、紙袋原紙７を折り畳んで紙袋本体２を形成すると、紙袋本体２の表面は赤色の色彩となり、紙袋本体２の内側は青色となる。そして、折曲片４は紙袋原紙７の上部を直接あるいはミシン目５を介して外側に折り曲げで形成しているので、図７に示すように、紙袋本体２の外面の色彩は赤色で、折曲片４の外側の色彩は青色となる。
【００２７】
このように、紙袋原紙７の表裏の色彩を予め異なる色彩としておくことで、紙袋原紙７を折り畳んで紙袋本体２を形成した場合には、折曲片４の外面の色彩と、紙袋本体２の外面の色彩とが異なり、意匠的効果を上げることができる。
なお、上記では、色彩を赤色と青色として説明したが、どのような色彩でもよく、また、紙袋原紙７の一面には、複数の色彩を用いてもよい。
【００２８】
図８は折曲片４の縁部となる紙袋原紙７の端部を例えば、波形にしたものであり、紙袋原紙７を折り畳んで紙袋本体２を形成すると、折曲片４の下部の縁部が波形となり、かつ紙袋本体２の外面と折曲片４の外面とが色彩が異なることで、意匠的効果を一層向上させることができる。
図８及び図９では、非直線である波形のデザインとしたが、どのようなデザインを施しても良いのはもちろんである。
【００２９】
図１０は、折曲片４の部分となる紙袋原紙７の端部に、ロゴマーク、例えば、「ＸＹＺ」というロゴマークを紙袋原紙７の段階で、打ち抜き加工をしたものである。紙袋原紙７を折り畳んで紙袋本体２を形成すると、折曲片４の部分には、「ＸＹＺ」のロゴマークが浮きでるようになる。
すなわち、例えば、図７に示すように、外面が青色の折曲片４の部分に、紙袋本体２の外面の赤色が打ち抜き加工された「ＸＹＺ」を介して、赤色の「ＸＹＺ」のロゴマークが表示されることになる。なお、このロゴマークの代わりに、花柄などの模様を打ち抜き加工を行なうようにしても良い。
【００３０】
このように、折曲片４の部分に該当する紙袋原紙７の端部に予め、ロゴマークや花柄などの模様を打ち抜き加工をしておき、表裏の色彩が異なる紙袋原紙７を折り畳んで紙袋本体２を形成すると、打ち抜き加工した箇所には、折曲片４の色彩とは異なる色彩であって、紙袋本体２の外面の色彩と同じ色彩のロゴマークや模様が表示されることになる。
これにより、ロゴマークや模様を表示するのに、別途の色彩を用いることなく、折曲片４に紙袋本体２の外面と同じ色彩のロゴマークや模様を鮮やかに表示させることができる。
【００３１】
ここで、表裏の色彩が異なる紙袋原紙７として、高級感のある、例えば、洲本製糸株式会社の「ライナー・リバーシブル」という坪量が１３０ｇ／ｍ2 の原紙を用いている。
また、丸住製糸株式会社の「スターパック白」という坪量が１００ｇ／ｍ2 の原紙に、透明なポリエステルフィルム（厚みが１２μｍ）、パールフィルム（厚みが３０μｍ）、ポリエステルアルミ蒸着銀（厚みが１２μｍ）のいずれかのフィルム層を貼合、あるいは蒸着した２層構造の原紙（紙袋原紙７）を形成し、この形成した紙袋原紙７を用いて紙袋本体２を形成するようにしても良い。
【００３２】
かかる場合、上記原紙が紙袋本体２の外面となり、フィルム層が紙袋本体２の内面とする。この原紙とフィルム層からなる紙袋原紙７は、フィルム層の方が原紙と比べて高級感を醸し出しているものである。
この紙袋原紙７にて紙袋本体２を形成すると、フィルム層の面が折曲片４となり、折曲片４及び紙袋本体２の内面に高級感を与えることができ、手提げ紙袋１を持つ人に満足感を与えることにもなる。
【符号の説明】
【００３３】
１  手提げ紙袋
２  紙袋本体
３  手提げ部
４  折曲片
５  ミシン目
７  紙袋原紙
【図１】
2015044594.tif 000003
【図２】
2015044594.tif 000004
【図３】
2015044594.tif 000005
【図４】
2015044594.tif 000006
【図５】
2015044594.tif 000007
【図６】
2015044594.tif 000008
【図７】
2015044594.tif 000009
【図８】
2015044594.tif 000010
【図９】
2015044594.tif 000011
【図１０】
2015044594.tif 000012
【図１１】
2015044594.tif 000013
【図１２】
2015044594.tif 000014
【図１３】
2015044594.tif 000015
【図１４】
2015044594.tif 000016
【図１５】
2015044594.tif 000017